(57)【要約】【課題】断熱性および強度を向上させた構成の枠体を有する建具を提供する。【解決手段】縦枠４，５、上枠６、および下枠７により構成された枠体１と、枠体１に取付けられた開閉式の障子２と、障子２と枠体１との間を塞いで気密性を確保する気密材１８からなる気密部を備える。少なくとも縦枠４，５および上枠６は樹脂製材料により構成される。樹脂製材料により構成された枠部４〜６は、少なくとも気密部より室外側の部分が見込み方向に複数個の中空部４ｂ〜４ｄ，５ｂ〜５ｄ，６ｂ、６ｃに区画される。気密部より室外側の中空部であって、障子２に隣接する中空部４ｂ〜４ｄ，５ｂ〜５ｄ，６ｂ，６ｃ内に断熱材１７ａ〜１７ｃ，１７ｄ〜１７ｆ，１７ｇ，１７ｈが配置されている。【選択図】図２
2018031207.tif 000002
【特許請求の範囲】
【請求項１】
縦枠、上枠、および下枠により構成された枠体と、
前記枠体に取付けられた開閉式の障子と、
前記障子と前記枠体との間を塞いで気密性を確保する気密材からなる気密部とを備えた建具において、
少なくとも前記縦枠および前記上枠は樹脂製材料により構成され、
前記樹脂製材料により構成された前記縦枠および前記上枠は、少なくとも前記気密部より室外側の部分が見込み方向に複数個の中空部に区画され、
前記気密部より室外側の中空部であって、前記障子に隣接する中空部内に断熱材が配置されていることを特徴とする建具。
【請求項２】
請求項１に記載の建具において、
前記枠体の室外側は、前記障子から離反する側に見付け方向に延びる延出部を備えると共に、見付け方向に複数の中空部に区画され、
室外側で区画された中空部のうち、前記障子に隣接する中空部内に断熱材が配置されていることを特徴とする建具。
【請求項３】
請求項１または２に記載の建具において、
前記枠体の室外側は、前記障子から離反する側に見付け方向に延びる延出部を備え、
前記延出部の室内側の面が躯体への取付け面とされており、
その取付け面を構成する壁部と、前記枠体を見込み方向に区画する壁部がほぼ同一面に形成されていることを特徴とする建具。
【請求項４】
請求項１から３までのいずれか１項に記載の建具において、
前記気密部を構成する気密材は、前記枠体に取付けられて前記障子の室内側の面に当接する構成を有することを特徴とする建具。
【発明の詳細な説明】
【技術分野】
【０００１】
本発明は、ドアや窓として構成される建具に係わり、特に開閉式障子を装着する枠体の断熱性や強度の向上に関する。
【背景技術】
【０００２】
建具には省エネ等のために断熱性が求められる。特に寒冷地においては、建具の断熱性を高めることにより、寒冷な外気によって室内温度が低下をすることを防ぐことが求められる。このような断熱性の向上を図った建具として、例えば特許文献１に記載のものがある。この特許文献１に記載の建具は窓として構成されているものであり、断熱性の向上のため、窓枠本体の材料としてヒノキ材を用い、その窓枠本体の切りだしにより設けた凹部に、樹脂製の断熱材を嵌め込んだ構成としている。
【先行技術文献】
【特許文献】
【０００３】
【特許文献１】特開２０１５−７８５７４号公報
【発明の概要】
【発明が解決しようとする課題】
【０００４】
しかしながら、特許文献１に記載の構成によると、窓枠本体が室内外にわたって一体をなす板状をなすため、窓枠の強度および断熱性を確保するには、窓枠本体を、分厚く、重量のある構成とする必要がある。
【０００５】
本発明は、上記問題点に鑑み、高い断熱性および強度を備えながら、可及的に枠材および断熱材を節約できる構成の障子装着用枠体を有する建具を提供することを目的とする。
【課題を解決するための手段】
【０００６】
本発明の建具は、
縦枠、上枠、および下枠により構成された枠体と、
前記枠体に取付けられた開閉式の障子と、
前記障子と前記枠体との間を気密材により塞いで気密性を確保する気密部とを備えた建具において、
少なくとも前記縦枠および前記上枠は樹脂製材料により構成され、
前記樹脂製材料により構成された前記縦枠および前記上枠は、少なくとも前記気密部より室外側の部分が見込み方向に複数個の中空部に区画され、
前記気密部より室外側の中空部であって、前記障子に隣接する中空部内に断熱材が配置されていることを特徴とする。
【０００７】
また、本発明の建具は、前記建具において、
前記枠体の室外側は、前記障子から離反する側に見付け方向に延びる延出部を備えると共に、見付け方向に複数の中空部に区画され、
室外側で区画された中空部のうち、前記障子に隣接する中空部内に断熱材が配置されていることを特徴とする。
【０００８】
また、本発明の建具は、前記建具において、
前記枠体の室外側は、前記障子から離反する側に見付け方向に延びる延出部を備え、
前記延出部の室内側の面が躯体への取付け面とされており、
その取付け面を構成する壁部と、前記枠体を見込み方向に区画する壁部がほぼ同一面に形成されていることを特徴とする。
【０００９】
また、本発明の建具は、前記建具において、
前記気密部は、前記障子が閉じた状態において、前記気密材により前記枠体と前記障子の室内側の面とが閉塞される部位に形成されることを特徴とする。
【発明の効果】
【００１０】
本発明においては、少なくとも縦枠および上枠は樹脂製材料により構成されると共に、樹脂製材料により構成された枠部は、気密部よりも室外側の部分が見込み方向に複数個の中空部に区画されたことにより、強度の高い建具を実現できる。
【００１１】
また、断熱性を確保する上で重要となる気密部より室外側に複数の中空部を設けると共に、その中空部内に断熱材を配置したので、断熱性を向上させる上で有効な位置に断熱材が配置され、断熱材に要するコストを抑えつつ、その有効な位置での中空部内での室内外温度差による対流が防止され、高い断熱性が得られる。
【００１２】
また、本発明において、枠体の室外側は、障子から離反する側に見付け方向に延びる延出部を備えると共に、見付け方向に複数の中空部に区画することにより、枠体の強度が高められると共に、室外側で区画された中空部のうち、前記障子に隣接する中空部内に断熱材を配置した構成とすることにより、断熱材に要するコストを抑えつつ、断熱性を高めることができる。
【００１３】
また、本発明において、枠体の室外側は、障子から離反する側に見付け方向に延びる延出部を備え、その延出部の室内側の面が躯体への取付け面取付け面を構成する壁部と、枠体を見込み方向に区画する壁部とをほぼ同一面に形成することにより、枠体の強度を高めることができる。
【図面の簡単な説明】
【００１４】
【図１】本発明の一実施の形態の建具であるドアを室内側から見た図である。
【図２】図１のＡ−Ａ拡大断面図である。
【図３】図１のＢ−Ｂ拡大断面図である。
【図４】図１のＣ−Ｃ拡大断面図である。
【図５】図１のＤ−Ｄ拡大断面図である。
【発明を実施するための形態】
【００１５】
図１は本発明の一実施の形態の建具の一例であるドアを室内側から見た図である。図１において、１は躯体の開口部に取付けられるドアの枠体である。２は枠体１内に蝶番３により開閉可能に取付けられるドア本体（障子）である。枠体１は、吊元側縦枠４と戸先側縦枠５と上側の横枠（上枠）６と下側の横枠（下枠）７とをタッピングねじ(図示せず)により組み合わせて矩形に構成する。
【００１６】
図２、図３、図４、図５はそれぞれ図１のＡ−Ａ、Ｂ−Ｂ、Ｃ−Ｃ、Ｄ−Ｄ拡大断面図である。図２、図３、図４に示すように、縦枠４，５および上枠６は、いずれも例えばＰＶＣ（ポリ塩化ビニル樹脂）等の樹脂製材料の押出形材でなり、これらの縦枠４，５および上枠６の室外側をアルミニウム合金等の金属製のカバー３７，３８，３９で覆ってねじやリベット等の固定具４１，４２，４３により固定している。金属製のカバー３７，３８，３９は、樹脂製の枠材の直射日光による劣化や経年変化による変形、変色等による外観の低下を防止するために設けられる。
【００１７】
図２に示すように、吊元側の縦枠４のドア本体２側の部位は、見込み方向（室内外方向）に複数（図示例は４個）の中空部４ａ〜４ｄに区画されている。また、縦枠４の室外側部位は、ドア本体２から離反する側に見付け方向に延びる延出部４ｅを有し、その延出部４ｅにも、中空部４ｄに隣接する中空部４ｆが区画されている。
【００１８】
１７ａ，１７ｂ，１７ｃはそれぞれ縦枠４のドア本体２に隣接する中空部４ｂ，４ｃ，４ｄ内に嵌め込まれた断熱材であり、例えばＥＰＳ（発泡ポリスチレン樹脂）等の発泡材でなる。４ｋはコ字形の鋼板等の金属製芯材であり、この芯材４ｋは室外側の中空部４ｄ内に嵌め込まれ、不図示の固定具、両面テープまたは接着剤等で中空部４ｄに固定される。中空部４ｄ内の断熱材１７ｃは、この金属製芯材４ｋ内に嵌合、固定して設けられる。
【００１９】
１８は樹脂製またはゴム製の気密材であり、この気密材１８は、枠体１とドア本体２の室内側の面との間に介在し、ドア本体２が閉じられた状態において、両者間の隙間を塞ぐものである。図２〜図５において、ドア本体２の室内側の面と縦枠４，５、上枠６および下枠７との間をこの気密材１８により閉塞する部位に形成される。この気密材１８は、縦枠４においては、ドア本体２側の面に突出させて形成された気密材取付け部４ｇに基部を嵌合して取付けられている。断熱材１７ａ〜１７ｃは、縦枠４における気密部よりも室外側にあり、かつドア本体２に隣接する中空部４ｂ〜４ｄ内にそれぞれ配置されている。一方、気密部よりも室内側の中空部４ａ内、および室外側にあって、ドア本体２に隣接していない中空部４ｆ内には断熱材は配置されていない。
【００２０】
５０は枠体１を取付ける開口部を構成する躯体の一部となる柱である。４ｈは縦枠４の室外側の延出部４ｅにおいて、柱５０に対する縦枠４の室内側の取付け面を構成する壁部である。４ｉは中空部４ｃと４ｄとの間を区画する壁部である。これらの壁部４ｈと４ｉとはほぼ同一面に形成されている。
【００２１】
図３に示すように、戸先側の縦枠５も同様に、ドア本体２側の部位は、見込み方向に複数（図示例は４個）の中空部５ａ〜５ｄに区画されている。また、縦枠５の室外側部位は、ドア本体２から離反する側に見付け方向に延びる延出部５ｅを有し、その延出部５ｅにも中空部５ｄに隣接する中空部５ｆが区画されている。
【００２２】
１７ｄ，１７ｅ，１７ｆはそれぞれドア本体２側の中空部５ｂ，５ｃ，５ｄ内に嵌め込まれた断熱材であり、例えばＥＰＳ等の発泡材でなる。５ｋは断面形状がコ字形の鋼板等の金属製芯材であり、この芯材５ｋは室外側の中空部５ｄ内に嵌め込まれ、不図示の固定具、両面テープまたは接着剤等で中空部５ｄに固定されている。中空部５ｄ内の断熱材１７ｆは、この金属製芯材５ｋ内に嵌合、固定して設けられる。
【００２３】
図３において、気密材１８は、縦枠５のドア本体２側の面に突出させて形成された気密材取付け部５ｇに基部を嵌合して取付けられている。断熱材１７ｄ〜１７ｆは、縦枠５における気密部よりも室外側にあり、かつドア本体２に隣接する中空部５ｂ〜５ｄ内にそれぞれ配置されている。一方、気密部よりも室内側の中空部５ａ内、および室外側にあって、ドア本体２に隣接していない中空部５ｆ内には断熱材は配置されていない。
【００２４】
５１はドアの枠体１を取付ける開口部を構成する躯体の一部となる柱である。５ｈは縦枠５の延出部５ｅにおいて、柱５１に対する縦枠５の室内側の取付け面を構成する壁部である。５ｉは中空部５ｃと５ｄとの間を区画する壁部である。これらの壁部５ｈと５ｉとはほぼ同一面に形成されている。
【００２５】
図４に示すように、上枠６も同様に、ドア本体２側の部位は、室内外方向に複数（図示例は３個）の中空部６ａ〜６ｃに区画されている。また、上枠６の室外側部位は、ドア本体２から離反する側に見付け方向に延びる延出部６ｄを有し、その延出部６ｄにも中空部６ｃに隣接する中空部６ｅが区画されている。
【００２６】
１７ｇ，１７ｈはそれぞれ上枠６のドア本体２側の中空部６ｂ，６ｃ内に嵌め込まれた断熱材であり、例えばＥＰＳ等の発泡材でなる。
【００２７】
図４において、気密材１８は、上枠６のドア本体２側の面に突出させて形成された気密材取付け部６ｆに基部を嵌合して取付けられている。断熱材１７ｇ，１７ｈは、上枠６における、気密部よりも室外側にあり、かつドア本体２に隣接する中空部６ｂ，６ｃ内にそれぞれ配置されている。一方、気密部よりも室内側の中空部６ａ内、および室外側にあって、ドア本体２に隣接していない中空部６ｅ内には断熱材は配置されていない。
【００２８】
５２はドアの枠体１を取付ける開口部を構成する躯体の一部となる横架材である。６ｇは上枠６の室外側の延出部６ｄにおいて、横架材５２に対する上枠６の室内側の取付け面を構成する壁部である。６ｈは中空部６ｂと６ｃとの間を区画する壁部である。これらの壁部６ｇと６ｈとはほぼ同一面に形成されている。
【００２９】
図５に示すように、本実施の形態の下枠７は、ドア本体２の下面に対向する室外側枠７ａと、室内側枠７ｂとをアルミニウム合金等の金属製材料の押出形材により構成し、これらの室外側枠７ａと室内側枠７ｂとの間をゴムまたは樹脂製の断熱材７ｃにより結合して構成している。Ｌ１はこのドアの室外側の地面のレベルを示す。この地面のレベルＬ１は、ドア本体２の下面に対面する下枠７の上面と同一レベルまたはそのレベルよりやや低い位置に設定される。Ｌ２はこのドアが設置される室内側の土間のレベルを示す。このレベルＬ２は、下枠７の室内側部分の上面に設けられるゴム製の保護材２４の上面とほぼ同一レベルに設定される。保護材２４は、下枠７の上面が砂等の付着により損傷することと、結露を防止するために設けられる。
【００３０】
下枠７の室外側枠７ａはステンレス鋼板等でなる金属製のカバー４０で覆い、リベットやねじ等の固定具４４で下枠７に固定している。室内側枠７ｂには、ドア本体２の室内側に対向する立上部７ｂ１を有し、その立上部７ｂ１にドア本体２の室内側の面を当てる気密材１８を取付けている。
【００３１】
本実施の形態の下枠７においては、室外側枠材７ａは、断面形状が略矩形に形成される。金属製のカバー４０は、室外側枠７ａの下面部７ａ１の下の室外側部分を覆う下面部４０ａと、室外側枠７ａの室外側の垂直面である見付け面部７ａ２を覆う見付け面部４０ｂと、室外側枠７ａの上面部７ａ３を覆う上面部４０ｃとで構成している。
【００３２】
ここで、金属製のカバー４０は、ドア本体２を閉じた状態においては、少なくともドア本体２の下面に対向する下枠７の室外側枠７ａの上面部７ａ３を覆うように構成する。また、本実施の形態のように、ドア本体２を開放した状態において、金属製のカバー４０の室内側の端部４０ｄは、２点鎖線１８ｘで示すドア開放状態での気密材１８の下方に位置し、これにより下枠７が金属製のカバー４０により隠され、上方からは金属製のカバー４０のみが目視できるように、金属製のカバー４０の室内外方向の幅を設定することが、外観向上のために好ましい。
【００３３】
また、金属製のカバー４０の室内側の端部４０ｄは、下枠７の室外側枠７ａの上面部７ａ３の室内側端部よりも室内側に位置させることにより、カバー４０と室外側枠７ａとの間に水が介在することを可及的に防止し、これにより、材質が異なる金属間に水が介在する際に生じる電食を防止して耐久性を向上させている。また、仮に電食が生じても、電食による生じた変色部等をカバー４０により隠すことができ、外観低下防止の効果が得られる。また、金属製のカバー４０の室内側の端部４０ｄは、下枠の室内側枠７ｂに到達せず、断熱材７ｃ上に位置させることにより、断熱性の低下を防ぐことができる。
【００３４】
なお、本実施の形態において、下枠７の材質として金属製材料でなる押出形材を用いているのは、下枠７に人の荷重がかかる場合に、変形等を生じにくくするためである。また、金属製のカバー４０として押出形材でなる室外側枠７ａおよび室内側枠７ｂより硬度の高いステンレス鋼を用いることにより、砂などの付着による下枠７の損傷を防止し、外観の低下を防止することができる。しかしながら、この下枠７にも樹脂製の押出形材を用いてもよい。
【００３５】
次にドア本体２の構成およびその枠体１への取付け構造について説明する。ドア本体２は、鋼板等でなる金属製の室外側表面材８および室内側表面材９と、ドア本体２の吊元側端部（図２）、戸先側端部（図３）、上端部（図４）、下端部（図５）にそれぞれ設けられた樹脂製の端部材１０，１１，１２，１３とを有する。これらの端部材１０〜１３のうち、吊元側の端部材１０は矩形の中空形状をなし、上端部、下端部の各端部材１２，１３は、断面形状がコ字形をなす。一方、戸先側端部材は、戸先側カバー１４を取付けるため、断面形状がL字形をなして室内外コーナー部にそれぞれ配置される２つの樹脂製の端部材１１，１１により構成している。
【００３６】
図２に示すように、ドア本体２の吊元側の端部材１０は、その一部分として、ドア本体２の見付け方向について外側へ突出した露出部１０ａを有する。ドア本体２の吊元側の端部材１０に対して、室外側表面材８および室内側表面材９は、露出部１０ａを覆わず、見付け面部８ａ，９ａの端部から見込み面部８ｂ，９ｂをＬ字形に短く折り曲げて形成した形状を有する。表面材８，９は、見込み面部８ｂ，９ｂにおいて不図示のリベットにより固定され、かつ接着剤により接着されて端部材１０に固定される。
【００３７】
図４、図５に示すように、ドア本体２の上端部、下端部においては、表面材８，９の見込み面部８ｂ，９ｂは、ドア本体２の見込み方向の中央部近傍まで、すなわち図２に示す吊元側の見込み面部８ｂ，９ｂに比べて長く延出させて形成され、不図示のリベットや接着剤により端部材１２，１３に固定される。
【００３８】
図２、図４、図５において、１７ｋ，１７ｍ，１７ｎはそれぞれ端部材１０，１２，１３内に配置し固定した断熱材であり、ドア本体２の端部における断熱性を向上させるために設けられたものである。これらの断熱材１７ｋ，１７ｍ，１７ｎの材質は特に限定されないが、前記枠体１内に収容した断熱材１７ａ〜１７ｈと同様の材質の断熱材を用いることができる。
【００３９】
１７ｐは端部材１０〜１４や表面材８，９と共にドア本体２を構成するパネル状の断熱材であり、この断熱材１７ｐは、室外側表面材８、室内側表面材９、端部材１０，１２、１３および戸先側カバー１４の取付け部材（後述）とでボックス状に組まれた枠内に収容され、接着して固定される。断熱材１７ｐには断熱材１７ａ〜１７ｎと同様かあるいはこれらよりも断熱性が高い例えばフェノールホーム保温板（旭化成建材(株)社製、商品名：ネオマフォーム（ネオマは登録商標））を用いる。
【００４０】
図３に示すドア本体２の戸先側においては、室外側、室内側に配置した２本の端部材１１，１１間に、断面形状がコ字形に形成された鋼材等の金属製の室外側芯材１９と、この芯材１９の室内側に両面テープ等により固定された樹脂製の室内側芯材２０との結合体を挟む。そして、これらの端部材１１，１１、芯材１９，２０および表面材８，９からなるドア本体の戸先側部分を戸先側カバー１４で覆い、不図示のリベットやねじ等の固定具で芯材１９に戸先側カバー１４を固定することによって戸先側カバー１４をドア本体２に取付ける。２２は戸先側カバー１４の室外側に取付けられた樹脂製またはゴム製の塞ぎ材であり、戸先側縦枠５の金属製のカバー３８の室外側見付け面３８ａに当接させて外気の侵入を補助的に抑えるものである。なお、戸先側カバー２２は請求項１に記載の気密部を構成するものではない。
【００４１】
次にドア本体２の吊元側の取付け構造について、図２により説明する。２５はドア本体２の吊元側を補強する鋼材等の金属でなる芯材である。この芯材２５は断面形状がＬ字形をなし、中空状の端部材１０の室外側コーナー部内に配置される。３２は後述の蝶番３の取付け板３ｂに結合するための裏板であり、芯材２５の端部材１０への取付けは、この裏板３２を芯材２５に固定した状態で、端部材１０の縦枠４側プレート部１０ｂに対し、不図示の取付けねじ等により結合して行なう。
【００４２】
この芯材２５の断面形状をＬ字形とし、これを端部材１０の室外側コーナー部内に固定している理由は、この芯材２５による伝熱を抑えるためである。すなわち金属製の芯材２５を端部材１０の室外側の内部に位置させ、芯材２５の狭幅の端部２５ａを室内側に位置させることにより、芯材２５の室内側への伝熱面積を狭くして芯材２５による伝熱を抑制している。また、芯材２５の室内側端部２５ａを、室内側表面材９の見込み面部９ｂの室外側端部９ｂ１よりも室外側に位置させることにより、芯材２５と室内側表面材９との間の伝熱を抑制し、断熱性を高めている。
【００４３】
蝶番３は枠体側取付け板３ａとドア本体側取付け板３ｂとを有する。２８は枠体側取付け板３ａを縦枠４に取付ける蝶番取付け用のねじである。この蝶番取付け用のねじ２８を、ドア本体側取付け板３ａと、縦枠４のドア本体側プレート部４ｍに設けた貫通孔に通し、中空部４ｄ内に固定した芯材４ｋ内に固定した裏板２９のねじ孔に螺合し締結することにより、枠体側取付け板３ａを縦枠４に固定する。
【００４４】
３１はドア本体側取付け板３ｂをドア本体２に固定する蝶番取付け用のねじである。この蝶番取付け用のねじ３１を、ドア本体側取付け板３ｂと、端部材１０および芯材２５に設けた貫通孔に通し、一部のねじ３１についてはドア本体２の室外側表面材８の見込み面部８ｂにも通し、芯材２５の裏側に当てた裏板３２のねじ孔に螺合し締結することにより、ドア本体側取付け板３ｂをドア本体２に固定する。
【００４５】
３５は枠体１の縦枠４とドア本体２との間の隙間を閉塞して外気の侵入を補助的に抑える塞ぎ材である。この塞ぎ材３５はゴムまたは樹脂製のものであり、本実施の形態においては、この塞ぎ材３５のドア本体２に当接して撓む当接部３５ａがヒレによって構成されている。この塞ぎ材３５は、縦枠４のドア本体側プレート部４ｍにリベット３６等の固定具により固定して取付ける。ドアを閉めた状態においては、図示のように、塞ぎ材３５の当接部３５ａが端部材１０の見込み面の露出部１０ａに当接して縦枠４とドア本体２との間の隙間を塞ぐ。このように、端部材１０の露出部１０ａに塞ぎ材３５の当接部３５ａを当接させることにより、ドア本体２の室内側表面材９は塞ぎ材３５によって遮断されるので、気密部形成のための気密材１８による気密性の向上に加え、室内側表面材９の外気による熱的影響が軽減され、断熱性が向上する。なお、塞ぎ材３５は請求項１に記載の気密部を構成するものではない。
【００４６】
上述したように、本実施の形態においては、図２〜図４に示したように、縦枠４，５および上枠６に樹脂製の枠材を用いると共に、樹脂製の枠部は、気密材１８より形成される気密部よりも室外側の部分が見込み方向に複数個の中空部４ｂ〜４ｄ，５ｂ〜５ｄ，６ｂ，６ｃに区画されるので、断熱性および強度を向上させることが可能となる。
【００４７】
また、断熱性を確保する上で重要となる気密部より室外側に複数の中空部４ｂ〜４ｄ，５ｂ〜５ｄ，６ｂ，６ｃを設けると共に、その中空部内に断熱材１７ａ〜１７ｃ，１７ｄ〜１７ｆ，１７ｇ，１７ｈを配置したので、断熱材が断熱性を向上させる上で有効な位置に配置され、断熱材に要するコストを抑えつつ、高い断熱性が得られる。
【００４８】
換言すれば、断熱性の向上に関しては寄与の度合が低い部分、すなわち気密材１８を設けた気密部よりも室内側の中空部４ａ，５ａ，６ａ、および室外側の延出部４ｅ，５ｅ，６ｄの中空部４ｆ，５ｆ，６ｅ内には断熱材を配置しない構成としたので、断熱材の無駄な配置がなく、断熱性確保の上で有効配置が実現される。
【００４９】
一方、縦枠４，５および上枠６における、気密材１８による気密部よりも室内側部分にも中空部４ａ，５ａ，６ａを備えることにより、縦枠４，５および上枠６における見込み方向の取付け幅が確保されると共に、縦枠４，５および上枠６の強度が確保される。
【００５０】
また、本実施の形態においては、縦枠４，５および上枠６の室外側にはドア本体２から離反する側に延出した延出部４ｅ，５ｅ，６ｄを有するため、ドアにおいて必要となる縦枠４，５および上枠６における見付け方向の広い取付け幅が確保されると共に、これらの延出部４ｅ，５ｅ，６ｄにも中空部４ｆ，５ｆ，６ｅを区画したので、縦枠４，５および上枠６の室外側部分の強度が確保される。
【００５１】
また、本実施の形態においては、室外側の取付け面を構成する壁部４ｈ，５ｈ，６ｇと、中空部間を区画する壁部４ｉ，５ｉ，６ｈとをそれぞれほぼ同一面に形成したので、枠体１の強度をより高めることができる。
【００５２】
本実施の形態においては、ドアに本発明を適用した例を示したが、開閉式障子を有する窓にも本発明を適用することができる。窓を構成する場合には、下枠７にも縦枠４，５や上枠６と同様の中空部を区画した構造や、下枠７の中空部内に断熱材を配置した構造を実現することが可能である。
【００５３】
以上本発明を実施の形態により説明したが、本発明を実施する場合、本発明の要旨を逸脱しない範囲において、構成部材やその組み合わせについて、種々の変更、付加が可能である。
【符号の説明】
【００５４】
１  枠体
２  ドア本体（障子）
３  蝶番
４，５  縦枠
６  上枠
７  下枠
４ａ〜４ｄ，４ｆ，５ａ〜５ｄ，５ｆ，６ａ〜６ｃ，６ｅ  中空部
４ｅ，５ｅ，６ｄ  延出部
４ｈ，５ｈ，６ｇ  取付け面を構成する壁部
４ｉ，５ｉ，６ｈ  中空部を区画する壁部
１７ａ〜１７ｈ，１７ｋ，１７ｍ，１７ｎ，１７ｐ  断熱材
【図１】
2018031207.tif 000003
【図２】
2018031207.tif 000004
【図３】
2018031207.tif 000005
【図４】
2018031207.tif 000006
【図５】
2018031207.tif 000007